(57)【特許請求の範囲】
【請求項１】
固定側部材と被固定側部材の一方の部材に回動自在なロック部材を設けると共に他方の部材に該ロック部材が係止可能なロック受け部を設け、前記ロック部材は前記一方の部材にヒンジ部を介して基端を回動自在に接続したアーム部を設け、前記アーム部に設けた係止部が該アーム部の回動に従い乗り越え部を介して係止受け部に係止するロック装置において、前記係止部を前記アーム部の先端と前記基端との間に設けると共に、前記係止部の乗り越え部及びその奥側に設けられる前記係止受け部を前記固定側部材または被固定側部材に設け、前記ロック部材は左右一対の前記アーム部を一体に設けると共に、これらアーム部の内面側に前記係止部を設け、前記アーム部の基端を前記ヒンジ部に対してその軸線方向に摺動自在に設けたことを特徴とするロック装置。
【請求項２】
飲料用の容器本体と、前記容器本体の開口に被着される栓体と、前記栓体上部に設けた口部と、前記栓体に回動自在に第１のヒンジ部により軸支された口部を開閉する蓋と、前記第１のヒンジ部の反対側に設置され前記蓋を閉状態に保持するロック部材を有する飲料容器において、前記ロック部材は栓体または蓋のいずれか一方の側面に回動自在に軸支され、前記ロック部材は両側にアーム部を備えた略Ｕ字形状とし、前記アーム部の両基端に第２のヒンジ部を有し、前記アーム部に係止部を設け、前記蓋が閉じた状態で前記ロック部材により保持された状態において、前記ロック部材の係止部に相対して係止する係止受け部を前記栓体または蓋の他方に設け、前記ロック部材が回動して前記係止部と前記係止受け部が係止または解除される際に、前記ロック部材の基端が前記第２のヒンジ部の軸線に沿って外方へ弾発的に移動し、前記ロック部材の回動が完了して前記係止が保持または解除状態になったときに前記ロック部材の基端が前記軸線に沿って内方へ弾発的に移動し元の位置へ戻ることを特徴とするロック装置を備えた蓋付き飲料容器。
【請求項３】
容器本体と、該容器本体の開口を着脱自在に開閉する蓋と、該蓋を閉状態に保持するロック部材を有する容器において、前記ロック部材は前記容器本体または蓋のいずれか一方の側面に回動自在に軸支され、前記ロック部材は両側にアーム部を備えた略Ｕ字形状とし、前記アーム部の両基端にヒンジ部を有し、前記アーム部に係止部を設け、前記蓋が閉じた状態で前記ロック部材により保持された状態において、前記ロック部材の係止部に相対して係止する係止受け部を前記容器本体または蓋のいずれか他方に設け、前記ロック部材が回動して前記係止部と係止受け部が係止または解除される際に、前記ロック部材の基端が前記ヒンジ部の軸線に沿って外方へ弾性的に移動し、ロック部材の回動が完了して前記係止が保持または解除状態になったときに前記ロック部材の基端が前記軸線に沿って内方へ弾発的に移動し元の位置へ戻ることを特徴とするロック装置を備えた蓋付き容器。
【発明の詳細な説明】
【技術分野】
【０００１】
本発明は、ロック装置及びロック装置を備えた蓋付き飲料容器並びに蓋付き容器に関するものである。
【背景技術】
【０００２】
従来、容器本体の上部開口に被着される栓体と、該栓体にヒンジにて開閉可能に連結され、栓体の天板に開口する注出口を液密に覆う蓋体とを備え、前記ヒンジと反対側に蓋体の全閉状態を保持するロック装置を備えた飲料容器が知られている。前記ロック装置は栓体に基端を回動自在に設けられたロック部材としてのロックリングと、蓋体に設けられた係合片とからなり、ロックリングの回動によりその先端が係合片を乗り越えるようにして係合するものである（例えば特許文献１、２）。
【０００３】
また、保温構造の容器本体と、容器本体及び該容器本体に着脱可能に取付けられる蓋体を有し、前記容器本体の開口部に着脱自在に取付けられる蓋兼用容器とを備える食品保温容器であって、前記容器本体と蓋兼用容器のいずれか一方にロック部材としてのバックル部材の基端部側を回動自在に軸支すると共に、他方に前記バックル部材の先端部側が係合される係合部を設け、バックル部材を回動してその先端を、蓋体周縁側に設けた係合凹部を乗り越えて蓋上面に係止するような食品保温容器も知られている（例えば特許文献３、４、５）。
【特許文献１】特許第３６２００４２号公報
【特許文献２】特開２００３―２１２２５８号公報
【特許文献３】特開平１０−１４６４３号公報
【特許文献４】特開２００１−１３７０３１号公報
【特許文献５】特許第２９８６８８６号公報
【発明の開示】
【発明が解決しようとする課題】
【０００４】
従来のロック装置は、基端を中心としてロック部材を回動して、その先端を被固定側の凸部を乗り越えるようにしてロック部材が係止するようになっている。そしてロック部材が凸部を乗る越えるときには、指でロック部材を先端方向に弾性変形して乗る越え操作する必要がある。
【０００５】
しかしながら、このような指によるロック操作はロック部材を回動することのみならず、さらにロック部材の先端を先端方向に弾性変形させるためさらに力を入れるような操作が必要となる。一方、ロックを解除する場合においても、同様にロック部材の回動操作、ロック部材の弾性変形操作が必要となる。この結果、ロック部材によるロック操作時或いはロック解除時の操作が煩雑になってしまうおそれがある。
【０００６】
さらに、容器本体と、容器本体の開口に被着される栓体と、栓体上部に設けた口部と、栓体に回動自在に第１のヒンジ部により軸支された口部を開閉する蓋と、第１のヒンジ部の反対側に設置され蓋を閉状態に保持するロック部材を有するような飲料容器にあっては、ロック部材が係止する際に上下方向に係止部が弾性変形する構造であるが、弾性変形の方向、すなわち上下方向は蓋の外れ方向と同一であるため、係止部の弾性抵抗が大きく弾性変形量が小さいとロック係止時の抵抗が増して操作性が低下したり、逆に係止部の弾性抵抗が小さく弾性変形量が大きいとロック係止がゆるくなり、蓋ががたついたり、ロック係止が解除してしまい蓋が外れるといった問題が生じる。そのため係止の調節が高度であり、生産ばらつきにより管理が困難で高精度を要求された。
【０００７】
解決しようとする問題点は、固定側部材と被固定側部材の一方の部材に回動自在なロック部材を設けると共に他方の部材に該ロック部材が係止可能な係止受け部を設ける飲料容器や食品保温容器などにおいて、ロック部材の操作を小さい力ですむようにして操作性を向上する点である。さらに、容器本体、口部を備えた栓体、口部を覆う蓋を備えた蓋付き飲料容器にあっては、ロック部材の係止部の弾性変形方向を蓋外れ方向と別方向とし、ロック部材の係止部の弾性変形が蓋の被着状態に悪影響を及ぼして蓋ががたついたり、ロック係止が解除されて蓋が外れてしまうことを防止することを目的とする。
【課題を解決するための手段】
【０００８】
請求項１の発明は、固定側部材と被固定側部材の一方の部材に回動自在なロック部材を設けると共に他方の部材に該ロック部材が係止可能なロック受け部を設け、前記ロック部材は前記一方の部材にヒンジ部を介して基端を回動自在に接続したアーム部を設け、前記アーム部に設けた係止部が該アーム部の回動に従い乗り越え部を介して係止受け部に係止するロック装置において、前記係止部を前記アーム部の先端と前記基端との間に設けると共に、前記係止部の乗り越え部及びその奥側に設けられる前記係止受け部を前記固定側部材または被固定側部材に設け、前記ロック部材は左右一対の前記アーム部を一体に設けると共に、これらアーム部の内面側に前記係止部を設け、前記アーム部の基端を前記ヒンジ部に対してその軸線方向に摺動自在に設けたことを特徴とするロック装置である。
【０００９】
請求項２の発明は、飲料用の容器本体と、前記容器本体の開口に被着される栓体と、前記栓体上部に設けた口部と、前記栓体に回動自在に第１のヒンジ部により軸支された口部を開閉する蓋と、前記第１のヒンジ部の反対側に設置され前記蓋を閉状態に保持するロック部材を有する飲料容器において、前記ロック部材は栓体または蓋のいずれか一方の側面に回動自在に軸支され、前記ロック部材は両側にアーム部を備えた略Ｕ字形状とし、前記アーム部の両基端に第２のヒンジ部を有し、前記アーム部に係止部を設け、前記蓋が閉じた状態で前記ロック部材により保持された状態において、前記ロック部材の係止部に相対して係止する係止受け部を前記栓体または蓋の他方に設け、前記ロック部材が回動して前記係止部と前記係止受け部が係止または解除される際に、前記ロック部材の基端が前記第２のヒンジ部の軸線に沿って外方へ弾発的に移動し、前記ロック部材の回動が完了して前記係止が保持または解除状態になったときに前記ロック部材の基端が前記軸線に沿って内方へ弾発的に移動し元の位置へ戻ることを特徴とするロック装置を備えた蓋付き飲料容器である。
【００１０】
請求項３の発明は、容器本体と、該容器本体の開口を着脱自在に開閉する蓋と、該蓋を閉状態に保持するロック部材を有する容器において、前記ロック部材は前記容器本体または蓋のいずれか一方の側面に回動自在に軸支され、前記ロック部材は両側にアーム部を備えた略Ｕ字形状とし、前記アーム部の両基端にヒンジ部を有し、前記アーム部に係止部を設け、前記蓋が閉じた状態で前記ロック部材により保持された状態において、前記ロック部材の係止部に相対して係止する係止受け部を前記容器本体または蓋のいずれか他方に設け、前記ロック部材が回動して前記係止部と係止受け部が係止または解除される際に、前記ロック部材の基端が前記ヒンジ部の軸線に沿って外方へ弾性的に移動し、ロック部材の回動が完了して前記係止が保持または解除状態になったときに前記ロック部材の基端が前記軸線に沿って内方へ弾発的に移動し元の位置へ戻ることを特徴とするロック装置を備えた蓋付き容器である。
【発明の効果】
【００１１】
請求項１の発明によれば、ロック部材を摘んで上方へ引き上げるような力を加えなくともヒンジ部を回動中心として回動するだけで、係止部が乗り越え部を乗り越え、さらなる回動によって係止受け部に係止してロック状態を確保することができる。
【００１２】
また、請求項１の発明によれば、乗り越え部を乗り越える際、左右一対のアーム部間の間隔がロック部材の弾発力に抗して広がり、さらに回動に伴って係止部が係止受け部に弾性復縁力によって確実に係止できる。
【００１３】
請求項２の発明によれば、係止部の配置を蓋の外れ方向に一致しないアーム部側に配置することにより、係止のための調整、生産時の部品形状、寸法管理が容易となり安定したばらつきのない係止状態が得られる。
【００１４】
また、請求項２の発明によれば、係止部における係止受け部との係止、そして係止解除状態を確実に行うことができる。
【００１５】
請求項３の発明によれば、ロック部材を摘んで上方へ引き上げるような力を加えなくともヒンジ部を回動中心として回動するだけでロック部材がロック受け部に係止する状態を確保できる。
【００１６】
また、請求項３の発明によれば、係止部における係止受け部との係止、そして係止解除状態を確実に行うことができる。
【発明を実施するための最良の形態】
【００１７】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１８】
図１乃至図４は実施例１を示しており、両手で持てる大きさの飲料用容器は、内筒１と外筒２間に断熱部（図示せず）を備えた断熱構造の容器本体３と、該容器本体３の開口４に着脱可能に装着される栓体５とで構成されている。
【００１９】
栓体５は、容器本体３の外周とほぼ同じ外径の周側面６の上部に平面が円形の上面７を有するものであって、上面７の前部に筒状の飲み口或いは注ぎ口などの口部８を立設すると共に、該口部８の上方を開閉する蓋９とを備えている。蓋９はその基端を栓体５の上面７のほぼ中央に回動軸部である第1のヒンジ部10を介して起伏自在に設けられており、伏した状態で蓋９が口部８の上方を止液材たるパッキン11を介して覆うようになっている。そして、蓋９が伏した蓋閉状態においてそのほぼ縦向きな先端面12は周側面６とほぼ同一面状となるように対向している。尚、図中13は蓋９の裏面に下向きに突設したゴム等の弾性突起であり、該蓋９が伏した状態ではその先端が上面７に圧接して蓋９を開方向に付勢している。
【００２０】
そして、被固定側部材である蓋９を伏した状態で該蓋９を、固定側部材である栓体５に着脱可能に固定するためのロック装置14は、栓体５の周側面６に設けたロック部材15と、蓋９の先端面12に設けたロック部材15が係止可能なロック受け部16によって構成される。
【００２１】
ロック部材15は、上下方向に長いアーム部17を間隔をおいて左右両側に配置すると共に、その先端17Ａ間に架設部18を円弧状に突設して架設した略Ｕ字形状の合成樹脂製であって、アーム部17の基端17Ｂは周側面６に横向きの回動軸部である第2のヒンジ部19によって上下方向に回動自在に設けられている。尚、基端17Ｂは他のアーム部17より肉厚に形成されている。この第2のヒンジ部19を設けたロック部材15の取付部20は、周側面６より外側に突設した台座状であって、その左右に配置される両側面20Ａの横幅方向の間幅Ａは両側のアーム部17の内面21間の非ロック状態の横幅方向の幅Ｄとほぼ同じ幅となっており、隣接するアーム部17の対向面たる内面21が取付部20の両側面20Ａにそれぞれ嵌合或いは遊嵌するようになっている。そしてこの取付部20の下部に軸からなる第2のヒンジ部19が軸線19Ａを横向きにして配置されると共に、その横向きの両端である後述する突出端19Ｂは取付部20の両側面20Ａより突設しており、第2のヒンジ部19は、アーム部17の基端17Ｂに形成した軸穴22と、栓体５に設けられ軸穴22に回動自在に設けられる軸棒22Ａとからなる。この第２のヒンジ部19（軸棒22Ａ）の突出端19Ｂが、アーム部17の基端17Ｂに形成した軸穴22に挿入してロック部材15は回動自在に取り付けられる。さらに軸穴22と突出端19Ｂとは同一径、或いはほぼ同一径となってややゆるい状態となっており、軸穴22、ひいては基端17Ｂは軸線19Ａ方向に沿ってアーム部17の弾性力に抗して左右外側に摺動自在に設けられている。
【００２２】
前記ロック受け部16は蓋閉時に取付部20の上方に配置されるものであり、架設部18に嵌合するように該架設部18の内側と同様な円弧状となって上向きに突設している。
【００２３】
さらに、取付部20の両側面20Ａにそれぞれ嵌合する左右一対の前記アーム部17の内面21にロックのための係止部23が突起状にそれぞれ設けられると共に、取付部20の両側面20Ａの幅Ａよりも、一対の前記アーム部17の内面21にそれぞれ設けられる係止部23相互間の非ロック状態における幅Ｂはやや小さく設定されている（幅Ａ＞幅Ｂ）。これにより、ロック部材15を第２のヒンジ部19を回動中心として上向きに回動したとき係止部23が両側面20Ａを乗り越えることとなり、該両側面20Ａによって係止部23の乗り越え部が形成されることとなる。両側面20Ａの後部、すなわち乗り越え部の奥側には係止部23が係止する係止受け部24が凹部によってそれぞれ設けられている。係止部23は内面21における奥行き幅方向の略中央位置でアーム部17の長手方向に向けて細長く凸条に形成されている。尚、その横断面はほぼ円弧状である。一方、係止受け部24はロック部材15の回動に伴い両側面20Ａの奥行き方向の乗り越え部となる前側を係止部23が乗り越えた後に該係止部23を係止するものであり、両側面20Ａにおける奥行き方向の後側、すなわち取付部20の栓体５との接続側に配置されるものであり、上下方向に向けて細長く凹条に形成されている。そして、両側面20Ａにある左右一対の係止受け部24間の幅Ｃは、前記幅Ａより小さく、幅Ｂとほぼ同じである。尚、その横断面はほぼ円弧状である。
【００２４】
次に前記構成についてその作用を説明する。飲料を収容するときは、まず予め開いている開口４より飲料を容器本体３に収容し、次に開口４に栓体５を取り付けて開口４を閉じる。この後、第１のヒンジ部10を回動中心として蓋９を閉じると、ロック受け部16は取付部20の上方に配置されると共に、口部８はパッキン11により封止される。
【００２５】
そして、蓋９を栓体５、ひいては容器本体３側に固定するため、架設部18を摘んでロック部材15を第2のヒンジ部19を回動中心として上向きに回動する。この回動始めにおいては、図２（Ａ）及び図３の一点鎖線で示すように左右一対の間隔は取り付け部の幅と同一かほぼ同一である。
【００２６】
さらにロック部材15の回動途中において、左右一対の係止部23が取付部20の両側面に接し、さらに回動すると係止部23が両側面20Ａに乗り上げることとなる。これは左右一致の係止部23間の幅Ｂが前記幅Ａより小さいことに起因する。この乗り上げに伴い、図２（Ｂ）及び図３の二点鎖線で示すようにアーム部17は軸線19Ａ方向に広がる。この広がりは架設部18でＵ字状に連結した左右一対のアーム部17の弾性に抗してなされるものであり、このため、軸からなる第2のヒンジ部19の突出端19Ｂを軸穴22が摺動し、自由端となっている基端17Ｂが軸線19Ａ方向の外側に移動し、取付部20と基端17Ｂとの間にわずかな隙間Ｌが左右にそれぞれ形成されることとなる。
【００２７】
さらに、ロック部材15を回動すると図２（Ｃ）及び図３の実線で示すように係止部23が凹状となっている係止受け部24に挿入すると、左右一対の係止受け部24間の間隔Ｃは前記間隔Ａより小さくなっているので、左右一対のアーム部17は弾性復元力により元の間隔に戻り、そして、幅Ａより幅Ｃへとかわる境界である係止受け部24の前壁部によって係止部23は係止されて、元へ戻るように逆回動することが阻止される。この際、前記弾性復元力に伴って軸からなる第2のヒンジ部19の突出端19Ｂを軸穴22が摺動し、基端17Ｂが軸線19Ａ方向の内側に移動して、取付部20に基端17Ｂは接して係止される。
【００２８】
一方、ロック部材15によるロック状態を解除するには、架設部18を摘んで第２のヒンジ部19を回動中心として下方へ回動すると、ロック時とは逆に図２（Ｂ）及び図３の二点鎖線で示すように係止部23が係止受け部24から両側面20Ａに乗り上げる。この乗り上げに伴い、アーム部17はロック部材15の弾性力に抗して軸線19Ａ方向に広がると共に、軸からなる第２2のヒンジ部19の突出端19Ｂを軸穴22が摺動し基端17Ｂが軸線19Ａ方向の外側に移動する。
【００２９】
さらに、ロック部材15を回動すると図２（Ａ）及び図３の一点鎖線で示すようにロック部材15が取付部20より離れると共に、弾性復元力に伴って第２のヒンジ部19の突出端19Ｂを軸穴22が摺動し、基端17Ｂが軸線19Ａ方向の内側に移動して、取付部20に基端17Ｂは接して係止される。
【００３０】
以上のように、前記実施例では栓体５にロック部材15を設けると共に蓋９にロック部材15が係止可能なロック受け部16を設け、ロック部材15は栓体５に第２のヒンジ部19を介して基端17Ｂを回動自在に接続したアーム部17を設け、前記アーム部17に設けた係止部23が該アーム部17の回動に従い乗り越え部を介して係止受け部24に係止するロック装置14において、前記係止部23を前記アーム部17の先端17Ａと前記基端17Ｂとの間に設けると共に、前記係止部23の両側面（乗り越え部）20Ａ及びその奥側に設けられる係止受け部24を栓体５に設けたことにより、ロック部材15の先端17Ａ側を摘んで上方へ引き上げるような力を加えなくとも第２のヒンジ部19を回動中心として回動するだけで、係止部23が乗り越え部を乗り越え、さらなる回動によって奥側に設けられる係止受け部24に係止してロック状態を確保することができる。
【００３１】
また、前記アーム部17は左右一対の前記アーム部17を一体に設けると共に、これらアーム部17の基端17Ｂをヒンジ部に対してその軸線19Ａ方向に摺動自在に設けたことにより、係止部23が両側面20Ａによって形成される乗り越え部を乗り越える際、左右一対のアーム部17間の間隔がロック部材15の弾発力に抗して広がり、さらに回動に伴って係止部23が係止受け部24に弾性復縁力によって確実に係止することができる。
【００３２】
さらに、飲料用の容器本体３と、容器本体３の開口４に被着される栓体５と、栓体５上部に設けた口部８と、栓体５に回動自在に第1のヒンジ部10により軸支された口部８を開閉する蓋９と、第1のヒンジ部10の反対側に設置され蓋９を閉状態に保持するロック部材15を有し、ロック部材15は栓体５の側面に回動自在に軸支され、ロック部材15は両側にアーム部17を備えた略Ｕ字形状とし、アーム部17の両基端17Ｂに第２のヒンジ部19を有し、アーム部17に係止部23を設け、前記蓋９が閉じた状態で前記ロック部材15により保持された状態において、前記ロック部材15の係止部23に相対して係止する係止受け部24を栓体５に設けたことにより、ロック部材15の先端17Ａ側を摘んで上方へ引き上げるような力を加えなくとも第２のヒンジ部19を回動中心として回動するだけでロック部材15がロック受け部16に係止する状態を確保して、栓体５に蓋９を簡単に固定することができる。さらに、係止部23の配置を蓋９の外れ方向に一致しないアーム部17の両側に配置することにより、係止のための調整、生産時の部品形状、寸法管理が容易となり安定したばらつきのない係止状態が得られ、蓋９ががたついたりロックが解除されて蓋９が外れることを防止できる。
【００３３】
しかも、ロック部材15が回動して係止部23と係止受け部24が係止または解除される際に、ロック部材15の基端17Ｂが第２のヒンジ部19の軸線19Ａに沿って外方へ弾発的に移動し、ロック部材15の回動が完了して係止が保持または解除状態になったときにロック部材15の基端17Ｂが軸線19Ａに沿って内方へ弾発的に移動し元の位置へ戻ることにより、係止部23における係止受け部24との係止、そして係止解除状態を確実に行うことができる。
【００３４】
また第２のヒンジ部19は、アーム部17の基端17Ｂに形成した軸穴22と、栓体５に設けられ軸穴22に回動自在に設けられる軸棒22Ａとからなることにより、第２のヒンジ部19においてアーム部17の回動と、その基端17Ｂの軸線19Ａ方向への摺動を確実に行うことができる。
【００３５】
さらに、容器本体３は断熱性を有することによって、飲料の保冷や保温を行うことができる。
【実施例２】
【００３６】
以下に、他の実施例を説明する。尚、前記実施例１と同一部分には同一符号を付し、その詳細な説明を省略する。
【００３７】
図５は実施例２を示しており、実施例２においては、第２のヒンジ部19は、アーム部17の基端17Ｂに形成した軸棒31または軸突起と、栓体５に設けられた前記軸棒31または軸突起に回動自在に設けられる軸穴32とからなっている。
【００３８】
このような軸棒31または軸突起と軸穴32との組み合わせによってもアーム部17を回動自在に設けると共に、軸線19Ａに沿って基端17Ｂを摺動することができる。
【００３９】
尚、他の例としては蓋側にロック部材を回動自在でかつ軸線方向に摺動自在に取り付けると共に、栓体側にロック受け部を設けたり、或いは実施例1では栓体と一体な取付部に乗り越え部と係止受け部を設けたが、ロック部材を栓体側に取付け、蓋側にロック受け部の他に乗り越え部または及び係止受け部を設けてもよい。
【実施例３】
【００４０】
図６及び図７は実施例３を示しており、蓋９付き容器は、例えばランチジャーのような内筒41と外筒42との間に断熱層（図示せず）を設けた容器本体43の前記内筒41にそれぞれ蓋を備えた汁容器44、飯容器45、おかず容器46の各種容器を積み重ねて収容できるようになっている。そして、容器本体43の開口47に該開口47を覆う蓋48が着脱自在に設けられている。
【００４１】
さらに、実施例１と同様に前記容器本体43の開口47の側面の前後にロック部材15が設けられると共に、蓋48の側面の前後にはロック受け部16が設けられる。
【００４２】
このように、実施例３においては、容器本体43と、該容器本体43の開口47を着脱自在に開閉する蓋48と、該蓋48を閉状態に保持するロック部材15を有し、ロック部材15は容器本体43の側面に回動自在に軸支され、ロック部材15は両側にアーム部17を備えた略Ｕ字形状とし、アーム部17の両基端17Ｂにヒンジ部19を有し、アーム部17に係止部23を設け、蓋９が閉じた状態でロック部材15により保持された状態において、ロック部材15の係止部23に相対して係止する係止受け部24を容器本体３に設けたことにより、ロック部材15の先端17Ａ側を摘んで上方へ引き上げるような力を加えなくともヒンジ部19を回動中心として回動するだけでロック部材15がロック受け部16に係止する状態を確保して、栓体５に蓋48を簡単に固定することができる。
【００４３】
また、ロック部材15が回動して係止部23と係止受け部24が係止または解除される際に、ロック部材15の基端17Ｂがヒンジ部19の軸線19Ａに沿って外方へ弾発的に移動し、ロック部材15の回動が完了して係止が保持または解除状態になったときにロック部材15の基端17Ｂが軸線19Ａに沿って内方へ弾発的に移動し元の位置へ戻ることにより、係止部23における係止受け部24との係止、そして係止解除状態を確実に行うことができる。
【００４４】
また第２のヒンジ部19は、アーム部17の基端17Ｂに形成した軸穴22と、栓体５に設けられ軸穴22に回動自在に設けられる軸棒22Ａとからなることにより、第２のヒンジ部19においてアーム部17の回動と、その基端17Ｂの軸線19Ａ方向への摺動を確実に行うことができる。
【実施例４】
【００４５】
図８は実施例４を示しており、実施例４においては、第２のヒンジ部19は、アーム部17の基端17Ｂに形成した軸棒51または軸突起と、栓体５に設けられた前記軸棒51または軸突起に回動自在に設けられる軸穴52とからなっている。
【００４６】
このような軸棒51または軸突起と軸穴52との組み合わせによってもアーム部17を回動自在に設けると共に、軸線19Ａに沿って基端17Ｂを摺動することができる。
【００４７】
尚、他の例としては蓋９側にロック部材を回動自在でかつ軸線方向に摺動自在に取り付けると共に、容器本体側にロック受け部を設けたり、或いは実施例３では容器本体と一体な取付部に乗り越え部と係止受け部を設けたが、ロック部材を蓋側に取付け、容器本体側にロック受け部の他に乗り越え部または及び係止受け部を設けてもよい。
【産業上の利用可能性】
【００４８】
以上のように本発明にかかるロック装置は各種の用途に適用できる。
【図面の簡単な説明】
【００４９】
【図１】本発明の実施例１を示す要部の斜視図である。
【図２】本発明の実施例１を示す要部の正面図であり、図２（Ａ）は作動前の正面図、図２（Ｂ）は作動中の正面図、図２（Ｃ）は作動後の正面図である。
【図３】本発明の実施例１を示す要部の平断面図である。
【図４】本発明の実施例１を示す要部の縦断面図である。
【図５】本発明の実施例２を示す斜視図である。
【図６】本発明の実施例３を示す分解斜視図である。
【図７】本発明の実施例３を示す要部の斜視図である。
【図８】本発明の実施例４を示す斜視図である。
【符号の説明】
【００５０】
５ 栓体（一方の部材）
８ 口部
９ 蓋（他方の部材）
10 第1のヒンジ部
15 ロック部材
16 ロック受け部
17 アーム部
17Ｂ 基端
19 第2のヒンジ部
19Ａ 軸線
20Ａ 両側面（乗り越え部）
22 軸穴
22Ａ 軸棒
23 係止部
24 係止受け部
43 容器本体
47 開口
48 蓋
【図１】
0004482940.tif 000002
【図２】
0004482940.tif 000003
【図３】
0004482940.tif 000004
【図４】
0004482940.tif 000005
【図５】
0004482940.tif 000006
【図６】
0004482940.tif 000007
【図７】
0004482940.tif 000008
【図８】
0004482940.tif 000009